(57)【特許請求の範囲】
【請求項１】
携帯型電子デバイスの二次誘導コイルに電磁気エネルギーを転送するように構成された一次誘導コイルと、
一次誘導コイルに電気的に結合され、一次誘導コイルの出力信号を調整するように構成されたコイルドライバーと、
携帯型電子デバイスから入力信号を受信するように構成された受信機と、
受信機およびコイルドライバーに通信的に結合されたコントローラであって、入力信号がプロトコル識別信号を含み、コントローラは、もしプロトコル識別信号が候補プロトコル識別信号の１つに対応していれば、プロトコル識別信号を候補プロトコル識別信号の格納されたリストと比較することによって携帯型電子デバイスのワイヤレス充電プロトコルを識別してプロトコル識別信号と関連付けられたワイヤレス充電プロトコルを選択し、もしプロトコル識別信号が候補プロトコル識別信号の１つに対応しなければ、ワイヤレス充電プロトコルを確立するのに十分な情報をコントローラに提供するように構成されたプロトコル指定信号を受信してプロトコル指定信号に基づいてワイヤレス充電プロトコルを確立し、ワイヤレス充電プロトコルと入力信号に基づいて出力信号を自動的に規制するように構成されているものと、
を含む、ワイヤレス充電システム。
【請求項２】
入力信号が二次誘導コイルからのフィードバック信号を含み、受信機が、一次誘導コイルを通してフィードバック信号を受信するように構成されている、請求項１のワイヤレス充電システム。
【請求項３】
コントローラが、テスト信号を出力して、受信機によって受信された戻り信号に基づいて携帯型電子デバイスの存在を識別することをコイルドライバーに命令するように構成されている、請求項１のワイヤレス充電システム。
【請求項４】
入力信号がプロトコル指定信号を含む、請求項１のワイヤレス充電システム。
【請求項５】
コントローラが、プロトコル識別信号と、対応するプロトコル指定信号を、候補プロトコル識別信号の格納されたリスト中に格納するように構成されている、請求項１のワイヤレス充電システム。
【請求項６】
コントローラに通信的に結合されたプロトコル指定受信機を含み、プロトコル指定受信機は、携帯型電子デバイスからプロトコル指定信号を受信するように構成されている、請求項１のワイヤレス充電システム。
【請求項７】
コントローラに通信的に結合されたネットワークインターフェースを含み、ネットワークインターフェースは、外部ネットワークからプロトコル指定信号を受信するように構成されている、請求項１のワイヤレス充電システム。
【請求項８】
コントローラに通信的に結合されたユーザインターフェ−スを含み、ユーザインターフェースは、プロトコル識別信号の手動入力を容易にし、プロトコル識別信号の受信を始動し、プロトコル指定信号の受信を始動し、聴覚的または視覚的フィードバックをユーザに提供するか、またはそれらの組み合わせを行うように構成されている、請求項１のワイヤレス充電システム。
【請求項９】
携帯型電子デバイスの二次誘導コイルに電磁気エネルギーを転送するように構成された一次誘導コイルと、
一次誘導コイルに電気的に結合され、一次誘導コイルの出力信号を調整するように構成されたコイルドライバーと、
一次誘導コイルに電気的に結合され、二次誘導コイルからフィードバック信号を受信するように構成されたフィードバック受信機と、
フィードバック受信機およびコイルドライバーに通信的に結合されたコントローラであって、コントローラは、プロトコル識別信号を受信し、もしプロトコル識別信号が候補プロトコル識別信号の１つに対応していれば、プロトコル識別信号を候補プロトコル識別信号の格納されたリストと比較することによって携帯型電子デバイスのワイヤレス充電プロトコルを識別してプロトコル識別信号と関連付けられたワイヤレス充電プロトコルを選択し、もしプロトコル識別信号が候補プロトコル識別信号の１つに対応しなければ、ワイヤレス充電プロトコルを確立するのに十分な情報をコントローラに提供するように構成されたプロトコル指定信号を受信してプロトコル指定信号に基づいてワイヤレス充電プロトコルを確立し、ワイヤレス充電プロトコルとフィードバック信号に基づいて出力信号を自動的に規制するように構成されているものと、
を含む、ワイヤレス充電システム。
【請求項１０】
プロトコル指定信号は携帯型電子デバイスから受信される、請求項９のワイヤレス充電システム。
【請求項１１】
コントローラが、プロトコル識別信号と、対応するプロトコル指定信号を、候補プロトコル識別信号の格納されたリスト中に格納するように構成されている、請求項９のワイヤレス充電システム。
【請求項１２】
コントローラに通信的に結合されたプロトコル指定受信機を含み、プロトコル指定受信機は、携帯型電子デバイスからプロトコル指定信号を受信するように構成されている、請求項９のワイヤレス充電システム。
【請求項１３】
コントローラに通信的に結合されたネットワークインターフェースを含み、ネットワークインターフェースは、外部ネットワークからプロトコル指定信号を受信するように構成されている、請求項９のワイヤレス充電システム。
【請求項１４】
コントローラに通信的に結合されたユーザインターフェ−スを含み、ユーザインターフェースは、プロトコル識別信号の手動入力を容易にし、プロトコル識別信号の受信を始動し、プロトコル指定信号の受信を始動し、聴覚的または視覚的フィードバックをユーザに提供するか、またはそれらの組み合わせを行うように構成されている、請求項９のワイヤレス充電システム。
【請求項１５】
携帯型電子デバイスの二次誘導コイルに電磁気エネルギーを転送するように構成された一次誘導コイルと、
一次誘導コイルに電気的に結合され、一次誘導コイルの出力信号を調整するように構成されたコイルドライバーと、
一次誘導コイルに電気的に結合され、二次誘導コイルからフィードバック信号を受信するように構成されたフィードバック受信機と、
携帯型電子デバイスからプロトコル識別信号を受信するように構成されたプロトコル識別受信機と、
フィードバック受信機、プロトコル識別受信機およびコイルドライバーに通信的に結合されたコントローラであって、コントローラは、もしプロトコル識別信号が候補プロトコル識別信号の１つに対応していれば、プロトコル識別信号を候補プロトコル識別信号の格納されたリストと比較することによって携帯型電子デバイスのワイヤレス充電プロトコルを識別してプロトコル識別信号と関連付けられたワイヤレス充電プロトコルを選択し、もしプロトコル識別信号が候補プロトコル識別信号の１つに対応しなければ、ワイヤレス充電プロトコルを確立するのに十分な情報をコントローラに提供するように構成されたプロトコル指定信号を受信してプロトコル指定信号に基づいてワイヤレス充電プロトコルを確立し、ワイヤレス充電プロトコルとフィードバック信号に基づいて出力信号を自動的に規制するように構成されているものと、
を含む、ワイヤレス充電システム。
【請求項１６】
コントローラが、プロトコル識別信号と、対応するプロトコル指定信号を、候補プロトコル識別信号の格納されたリスト中に格納するように構成されている、請求項１５のワイヤレス充電システム。
【請求項１７】
コントローラに通信的に結合されたプロトコル指定受信機を含み、プロトコル指定受信機は、携帯型電子デバイスからプロトコル指定信号を受信するように構成されている、請求項１５のワイヤレス充電システム。
【請求項１８】
コントローラに通信的に結合されたネットワークインターフェースを含み、ネットワークインターフェースは、外部ネットワークからプロトコル指定信号を受信するように構成されている、請求項１５のワイヤレス充電システム。
【請求項１９】
コントローラに通信的に結合されたユーザインターフェ−スを含み、ユーザインターフェースは、プロトコル識別信号の手動入力を容易にし、プロトコル識別信号の受信を始動し、プロトコル指定信号の受信を始動し、聴覚的または視覚的フィードバックをユーザに提供するか、またはそれらの組み合わせを行うように構成されている、請求項１５のワイヤレス充電システム。
【発明の詳細な説明】
【技術分野】
【０００１】
[関連出願へのクロスリファレンス]この出願は、２０１０年８月４日に出願され、“UNIVERSAL WIRELESS CHARGING SYSYTEM FOR MOTOR VEHICLES”と題された、米国仮出願シリアル番号61/370,710からの優先権とその恩恵を主張し、それはその全体がここで引用によって組み込まれる。
【０００２】
発明は全体的に、自動車用のワイヤレス充電システムに関し、より特定には、各種のワイヤレス充電プロトコルに自動的に適応するように構成されたユニバーサルワイヤレス充電システムに関する。
【背景技術】
【０００３】
搭乗者は頻繁に、電話、カメラおよび音楽プレーヤーのような携帯型電子デバイスを車両中に持ち込む。従って、車両電気システムを介して携帯型電子デバイスを充電することが搭乗者にとって望ましくあり得る。理解されるであろうように、携帯型電子デバイスは、ダイレクトな有線接続（例えば、補助パワー出力口に接続されたパワーケーブル）かまたはワイヤレス充電システムによって電気システムに接続され得る。ワイヤレス充電システムは典型的には、車両電気システムから携帯型電子デバイス内の二次誘導コイルに電磁気エネルギーを転送するように構成された一次誘導コイルを含む。残念ながら、携帯型電子デバイスへのパワー転送を容易にするために幅広い種類のワイヤレス充電プロトコルが作り出されてきた。結果として、搭乗者は、車両中に持ち込まれた各電子デバイスのために異なるワイヤレス充電システムを提供することを要求され得る。
【発明の概要】
【０００４】
本発明は、携帯型電子デバイスの二次誘導コイルに電磁気エネルギーを転送するように構成された一次誘導コイルを含んだワイヤレス充電システムに関する。ワイヤレス充電システムはまた、一次誘導コイルに電気的に結合され、一次誘導コイルの出力信号を調整するように構成されたコイルドライバーを含む。ワイヤレス充電システムは更に、携帯型電子デバイスから入力信号を受信するように構成された受信機と、受信機およびコイルドライバーに通信的に結合されたコントローラを含む。コントローラは、入力信号に基づいてワイヤレス充電プロトコルを確立し、確立されたワイヤレス充電プロトコルと入力信号に基づいて出力信号を自動的に規制するように構成されている。
【０００５】
本発明はまた、携帯型電子デバイスの二次誘導コイルに電磁気エネルギーを転送するように構成された一次誘導コイルを含んだワイヤレス充電システムに関する。ワイヤレス充電システムはまた、一次誘導コイルに電気的に結合され、一次誘導コイルの出力信号を調整するように構成されたコイルドライバーを含む。ワイヤレス充電システムは更に、一次誘導コイルに電気的に結合され、二次誘導コイルからフィードバック信号を受信するように構成されたフィードバック受信機を含む。加えて、ワイヤレス充電システムは、フィードバック受信機およびコイルドライバーに通信的に結合されたコントローラを含む。コントローラは、プロトコル識別信号を受信し、プロトコル識別信号に基づいて携帯型電子デバイスのワイヤレス充電プロトコルを識別し、識別されたワイヤレス充電プロトコルとフィードバック信号に基づいて出力信号を自動的に規制するように構成されている。
【０００６】
本発明はまた、携帯型電子デバイスの二次誘導コイルに電磁気エネルギーを転送するように構成された一次誘導コイルを含んだワイヤレス充電システムに関する。ワイヤレス充電システムはまた、一次誘導コイルに電気的に結合され、一次誘導コイルの出力信号を調整するように構成されたコイルドライバーを含む。ワイヤレス充電システムは更に、一次誘導コイルに電気的に結合され、二次誘導コイルからフィードバック信号を受信するように構成されたフィードバック受信機を含む。加えて、ワイヤレス充電システムは、携帯型電子デバイスからプロトコル識別信号を受信するように構成されたプロトコル識別受信機と、フィードバック受信機、プロトコル識別受信機およびコイルドライバーに通信的に結合されたコントローラを含む。コントローラは、プロトコル識別信号を候補プロトコル識別信号の格納されたリストと比較することによって携帯型電子デバイスのワイヤレス充電プロトコルを識別し、もしプロトコル識別信号が候補プロトコル識別信号の１つに対応しなければ、ワイヤレス充電プロトコルを確立するのに十分な情報をコントローラに提供するように構成されたプロトコル指定信号を受信し、ワイヤレス充電プロトコルとフィードバック信号に基づいて出力信号を自動的に規制するように構成されている。
【図面の簡単な説明】
【０００７】
【図１】図１は、各種のワイヤレス充電プロトコルに自動的に適応するように構成されたユニバーサルワイヤレス充電システムを含み得る例示的車両の斜視図である。
【図２】図２は、携帯型電子デバイスを格納してワイヤレス的に充電するように構成されたコンパートメントを有する、図１に示された通りの、例示的フロアコンソール１６の斜視図である。
【図３】図３は、携帯型電子デバイスに電磁気エネルギーを転送するように構成された例示的ワイヤレル充電システムの概略図である。
【図４】図４は、二次コントローラを含んだ、ワイヤレス充電システムの代替的実施形態の概略図である。
【図５】図５は、各種のワイヤレス充電プロトコルに自動的に適応するための例示的方法のフロー図である。
【図６】図６は、フィードバック信号に基づいてワイヤレス充電プロトコルを確立するための例示的方法のフロー図である。
【図７】図７は、フィードバック信号に基づいてワイヤレス充電プロトコルを確立するための代替的方法のフロー図である。
【図８】図８は、プロトコル識別受信機とプロトコル指定受信機を含んだ、ワイヤレス充電システムの代替的実施形態の概略図である。
【図９】図９は、各種のワイヤレス充電プロトコルに自動的に適応するための代替的方法のフロー図である。
【図１０】図１０は、プロトコル指定信号を受信するための例示的方法のフロー図である。
【発明を実施するための形態】
【０００８】
図１は、各種のワイヤレス充電プロトコルに自動的に適応するように構成されたユニバーサルワイヤレス充電システムを含んだ例示的車両１０の斜視図である。描かれたように、車両１０は、フロアコンソール１６内の格納コンパートメントの内部と電磁気的に通信している一次誘導コイルを有するワイヤレス充電システムを含む。そのような実施形態では、一次誘導コイルは、格納コンパートメントの内部内に配置された携帯型電子デバイスの二次誘導コイルに電磁気エネルギーを転送するように構成されている。ワイヤレス充電システムはまた、一次誘導コイルに電気的に結合され、一次誘導コイルの出力信号を調整するように構成されたコイルドライバーを含む。加えて、ワイヤレス充電システムは、一次誘導コイルに電気的に結合され、二次誘導コイルからフィードバック信号を受信するように構成された受信機を含む。受信機およびコイルドライバーに通信的に結合されたコントローラは、フィードバック信号に基づいてワイヤレス充電プロトコルを確立し、確立されたワイヤレス充電プロトコルとフィードバック信号に基づいて出力信号を自動的に規制するように構成されている。このやり方では、単一のワイヤレス充電システムが、各種のワイヤレス充電プロトコルを有する様々な携帯型電子デバイスを充電するのに採用され得る。
【０００９】
ワイヤレス充電システムは、フロアコンソール１６のコンパートメントを参照して以下に記載されるが、車両内部１２のその他のエリア内に位置する追加のコンパートメントが同様のワイヤレス充電システムを含んでいても良いことが理解されるべきである。例えば、或る実施形態では、ワイヤレス充電システムは、車両内部１２のその他のエリアの中でも、ドアパネル、センタースタック、インストルメントパネル、オーバーヘッドコンソール、車両座席または肘掛、のコンパートメントまたは格納ビン内に位置する携帯型電子デバイスに電気パワーを提供するように構成されていても良い。更なる実施形態では、ワイヤレス充電システムは、車両内部１２内の表面に隣接して位置する携帯型電子デバイスに電気パワーを提供するように構成されていても良い。例えば、或る実施形態では、ワイヤレス充電システムは、インストルメントパネル、肘掛またはフロアコンソール１６のデザインされた表面上に置かれた携帯型電子デバイスを充電するように構成されていても良い。更には、以下に記載されるワイヤレス充電システムは、例えば、誘導帯電または遠方場磁気共鳴によって携帯型電子デバイスに電気パワーを転送するように構成されていても良い。
【００１０】
図２は、携帯型電子デバイスを格納してワイヤレス的に充電するように構成されたコンパートメントを有する、図1に示された通りの、例示的フロアコンソール１６の斜視図である。描かれたように、フロアコンソール１６は、１つ以上の格納コンパートメントを取り囲んだ本体１８を含む。例えば、フロアコンソール１６は、描かれた巻き込み戸２０の下にある格納コンパートメントを含んでいても良い。理解されるであろうように、巻き込み戸２０は、描かれた閉じた位置から、コンソール１６の前方部分に配置された格納コンパートメントへのアクセスを容易にする開いた位置まで遷移するように構成されていても良い。同様に、肘掛２２は、コンソール１６の後方部分に配置された別の格納コンパートメント２４を取り囲むように回転しても良い。或る構成では、占有者が巻き込み戸または肘掛２２を介してどちらの格納コンパートメントにもアクセスし得るように、２つの格納コンパートメントは接続されていても良い。代替的実施形態は、フロアコンソール１６全体を通して配置された追加の格納コンパートメントを含んでいても良いことが理解されるべきである。
【００１１】
本実施形態では、車両占有者は、電話、カメラまたは音楽プレーヤーのような携帯型電子デバイスを、肘掛２２の下の格納コンパートメント２４中に置いても良い。以下で詳細に議論するように、コンパートメント２４の内部表面の１つと電磁気に通信しているワイヤレス充電システムは、携帯型電子デバイスの存在を自動的に識別して、ワイヤレス信号を介してデバイスに電気パワーを転送し始めても良い。例えば、ワイヤレス充電システムは、コンパートメント２４の下方内部表面の下に位置していても良い。この構成では、下方表面に隣接して置かれた携帯型電子デバイスが、ワイヤレス充電システムから電磁気エネルギーを受信する。本実施形態では、ワイヤレス充電システムは、コンパートメント２４内に配置された特定の携帯型電子デバイスにパワーを与えるために好適なワイヤレス充電プロトコルを確立するように構成されていても良い。例えば、ワイヤレス充電システムは、既知のプロトコルのリストから携帯型電子デバイスのワイヤレス充電プロトコルを識別しても良い。代替的に、ワイヤレス充電システムは、出力信号を変動させ、結果として得られるフィードバック信号内の変動を監視し、結果として得られる変動に基づいてワイヤレス充電プロトコルを確立しても良い。このやり方では、ワイヤレス充電システムが、各種のワイヤレス充電プロトコルを有する様々な携帯型電子デバイスにパワーを効率的に転送し得る。
【００１２】
図３は、携帯型電子デバイス２８に電磁気エネルギーを転送するように構成された例示的ワイヤレル充電システム２６の概略図である。描かれたように、ワイヤレス充電システム２６は、一次誘導コイル３０と、コイルドライバー３２と、受信機３４と、コントローラ３６を含む。一次誘導コイル３０は、携帯型電子デバイス２８の二次誘導コイル３８に電磁気エネルギーを転送するように構成されている。前述したように、一次誘導コイル３０は、コンパートメント２４の内部と電磁気的に通信していても良く、それによりワイヤレス充電システム２６がコンパートメント２４内に配置された携帯型電子デバイス２８に電気パワーを提供することを可能とする。以下で詳細に議論するように、携帯型電子デバイス２８は、二次誘導コイル３８に電気的に結合されたコントローラ４０と、コントローラ４０に電気的に結合されたバッテリー４２を含む。この構成では、二次誘導コイル３８によって受信された電磁気エネルギーは、バッテリー４２に転送されても良く、それにより携帯型電子デバイス２８を充電する。
【００１３】
本実施形態では、コイルドライバー３２は、一次誘導コイル３０と車両電気システムに電気的に結合されている。コイルドライバー３２は、車両電気システムからパワーを受け取り、望ましい信号で一次誘導コイル３０を駆動するように構成されている。理解されるであろうように、ワイヤレス充電システム２６と携帯型電子デバイス２８の間に誘導共鳴を確立することは、電磁気エネルギーの転送効率を強化し得る。従って、コイルドライバー３２は、携帯型電子デバイス２８の周波数にマッチするようにワイヤレス充電システム２６の共鳴周波数を変動させるように構成されていても良い。例えば、或る実施形態では、コイルドライバー３２は、車両電気システムによって一次誘導コイル３０に供給された電気パワーの周波数を変動させるように構成されている。加えて、コイルドライバー３２は、一次誘導コイル３０とコイルドライバー３２の間に確立されたインダクタンス／キャパシタンス（ＬＣ）回路のキャパシタンスを変動させるように構成されていても良い。理解されるであろうように、ＬＣ回路の共鳴周波数は、インダクタンスまたはキャパシタンスのどちらかを変動させることによって調整されても良い。或る実施形態では、一次誘導コイル３０のインダクタンスは、コイル３０内の巻回の数のために固定されている。従って、ＬＣ回路の共鳴は、（例えば、可変キャパシターを介して）コイルドライバー３２内のキャパシタンスを変動させることによって調整されても良い。
【００１４】
加えて、ワイヤレス充電システム２６の或る実施形態は、可変インダクタンスを有する一次誘導コイル３０を含む。例えば、或る一次誘導コイル３０は、導電性ワイヤの複数の独立した巻回を含んでいても良い。そのような構成では、各巻回は異なる幾何学的形状（例えば、円形、多角形、楕円形等）および／または異なる巻数（即ち、巻回内の導電性ワイヤのループの数）を含んでいても良い。一次誘導コイル３０のインダクタンスは巻回の幾何学的形状と巻数に少なくとも部分的に依存するので、コントローラ３６は、独立した巻回の間で切り替えることによって一次誘導コイル３０のインダクタンスを調整しても良い。更なる実施形態では、ワイヤレス充電システム２６の共鳴周波数は、コイルドライバー３２のキャパシタンスと一次誘導コイル３０のインダクタンスを調整することによって変動されても良い。
【００１５】
更には、コイルドライバー３２は、一次誘導コイル３０に供給された電気パワーの振幅を調整しても良く、それにより出力信号４４の大きさを変動させる。理解されるであろうように、各携帯型電子デバイス２８は、大きさの望ましいレンジ内の電磁気エネルギーを受信するように構成されている。従って、出力信号４４の大きさは、望ましい入力レンジとマッチするように特に調整されても良い。加えて、バッテリー４２内の電荷が増加するにつれて、出力信号４４の大きさが削減されても良く、それにより実質的にバッテリー４２の過充電の可能性を削減するかまたは排除する。
【００１６】
本実施形態では、受信機３４は、一次誘導コイル３０に電気的に結合されており、二次誘導コイル３８からフィードバック信号４６を受信するように構成されている。フィードバック信号４６は、その他のパラメータの中でも、望ましい共鳴周波数、望ましいパワー入力レベルまたは望ましい電磁気周波数を指し示していても良い。例えば、もし出力信号４４の電磁気周波数が望ましいよりも低ければ、コントローラ４０は、出力信号の周波数が増加されるべきであることを指し示すフィードバック信号４６を生成することを二次誘導コイル３８に命令しても良い。同様に、もし出力信号４４の大きさが望ましいよりも大きければ、コントローラ４０は、出力信号の大きさが削減されるべきであることを指し示すフィードバック信号４６を生成することを二次誘導コイル３８に命令しても良い。理解されるであろうように、フィードバック信号４６のフォーマットは、携帯型電子デバイス２８によって使われたワイヤレル充電プロトコルに基づいている。
【００１７】
受信機３４は、コントローラ３６に通信的に結合されており、フィードバック信号４６をコントローラ３６に中継するように構成されている。コントローラ３６はその一方で、フィードバック信号４６に基づいて出力信号４４を規制するように構成されている。例えば、もし一次コイル３０が、共鳴周波数が望ましいよりも低いことを指し示すフィードバック信号４６を受信すると、コントローラ３６は、共鳴周波数を増加するようにコイルドライバー３２に命令しても良い。同様に、もし一次コイル３０が、出力信号の大きさが望ましいよりも大きいことを指し示すフィードバック信号４６を受信すると、コントローラ３６は、出力信号４４の大きさを削減するようにコイルドライバー３２に命令しても良い。そのような出力信号４４への調整は、ワイヤレス充電システム２６から携帯型電子デバイス２８への電気パワーの転送効率を実質的に増加し得る。理解されるであろうように、もしワイヤレス充電システム２６と携帯型電子デバイス２８が同じワイヤレス充電プロトコル上で動作していれば、コントローラ３６は、フィードバック信号４６を適切に解釈することができる。残念なことに、各種のワイヤレス充電プロトコルのために、単一の固定されたワイヤレス充電プロトコルをもったコントローラ３６は、異なる携帯型電子デバイス２８と効果的に通信することが不能であり得る。
【００１８】
本実施形態では、コントローラ３６は、フィードバック信号４６を分析することによって携帯型電子デバイス２８と効果的に通信することが可能なワイヤレス充電プロトコルを自動的に確立するように構成されている。例えば、ワイヤレス充電システム２６は、携帯型電子デバイス２８のワイヤレス充電プロトコルを識別するために、フィードバック信号４６を既知のフィードバック信号のデータベースと比較しても良い。一旦識別されたワイヤレス充電プロトコルが確立されると、コントローラ３６は、携帯型電子デバイス２８への電気パワーの効率的な転送を確立するために、フィードバック信号４６に基づいて出力信号４４を自動的に規制しても良い。代替的に、コントローラ３６は、出力信号４４を変動させ、結果として得られるフィードバック信号４６内の変動を監視し、結果として得られる変動に基づいてワイヤレス充電プロトコルを確立しても良い。このやり方では、ワイヤレス充電プロトコルが、以前は（少なくともコントローラ３６には）未知のプロトコルに基づいて確立され得る。
【００１９】
更なる実施形態では、コントローラ３６は、携帯型電子デバイス２８から出力された複数の訓練信号に基づいてワイヤレス充電プロトコルを確立するように構成されていても良い。例えば、コントローラ４０は、一連の信号を一次誘導コイル３０に出力することを二次誘導コイル３８に命令するように構成されていても良い。この一連の信号は、携帯型電子デバイス２８と効率的に通信するワイヤレス充電プロトコルをどのように確立するかをコントローラ３６に「教える」ように構成されていても良い。一実施形態では、一連の信号は、過剰に高い出力信号の大きさを指し示す第１の信号と、過剰に低い出力信号の大きさを指し示す第２の信号と、過剰に高い共鳴周波数を指し示す第３の信号と、過剰に低い共鳴周波数を指し示す第４の信号を含んでいても良い。もしワイヤレス充電システム２６のコントローラ３６が信号の順番を確立された意味と相関させるように構成されていれば、コントローラ３６は、以前は未知のワイヤレス充電プロトコルを学習し得る。そのような構成では、単一のワイヤレス充電システム２６が、各種のワイヤレス充電プロトコルを有する様々な携帯型電子デバイス２８を充電するのに採用され得る。以下で詳細に議論するように、携帯型電子デバイスは、訓練信号、プロトコル識別信号および／またはプロトコル指定信号をワイヤレス充電システムに出力するように構成された追加の送信機を含んでいても良い。そのような実施形態では、ワイヤレス充電システムは、信号を受信するための対応する受信機を含んでいても良く、それによりコントローラがワイヤレス充電プロトコルを識別および／または確立することを可能とする。
【００２０】
図４は、二次コントローラを含んだ、ワイヤレス充電システム４８の代替的実施形態の概略図である。描かれたように、ワイヤレス充電システム４８は、受信機３４とコイルドライバー３２に通信的に結合された一次コントローラ５０と二次コントローラ５２を含む。本実施形態では、一次コントローラ５０は、図３を参照して上述された実施形態と同様に、フィードバック信号４６を分析することによって携帯型電子デバイス２８と通信することが可能なワイヤレス充電プロトコルを自動的に確立するように構成されている。しかしながら、もしフィードバック信号４６が予め決められたワイヤレス充電プロトコルを指し示していれば、ワイヤレス充電システム４８の制御は二次コントローラ５２に移転される。例えば、二次コントローラ５２は、単一の予め決められたワイヤレス充電プロトコルに基づいて出力信号４４を規制するように特に構成されていても良い。従って、もし携帯型電子デバイス２８が予め決められたワイヤレス充電プロトコルを利用していれば、二次コントローラ５２は、入力信号４６と予め決められたワイヤレス充電プロトコルに基づいて出力信号４４を規制しても良い。但し、もしフィードバック信号４６が予め決められたプロトコルを指し示していなければ、一次コントローラ５０が、フィードバック信号４６の分析に基づいて効果的なプロトコルを自動的に確立しても良い。
【００２１】
理解されるであろうように、二次コントローラ５２は予め決められたプロトコルに基づいて出力信号４４を規制するように特に構成されているので、ワイヤレス充電システム４８と携帯型電子デバイス２８の間のパワー転送効率は、二次コントローラ５２がシステム４８を動作させている時により高くなり得る。しかしながら、もし（少なくともコントローラ５０および５２には）未知のフィードバック信号４６が検出されれば、一次コントローラ５０は、たとえ転送効率が若干低いとしても、依然としてワイヤレス充電システム４８が携帯型電子デバイス２８にパワーを転送することを可能とし得る。このやり方では、単一のワイヤレス充電システム４８が、各種のワイヤレス充電プロトコルを有する様々な携帯型電子デバイス２８を充電するのに採用され得る。２つのコントローラ５０および５２が本実施形態では採用されているが、代替的実施形態は、一次コントローラ５０と二次コントローラ５２の機能を行うことが可能な単一のコントローラを含んでいても良いことが理解されるべきである。更なる実施形態では、複数の二次コントローラ５２が、複数の予め決められたワイヤレス充電プロトコルに基づいてワイヤレス充電システム４８を制御するのに採用されても良い。
【００２２】
図５は、各種のワイヤレス充電プロトコルに自動的に適応するための例示的方法５４のフロー図である。まず、ブロック５６によって表されたように、携帯型電子デバイス２８がワイヤレス充電システム２６のレンジ内に位置しているかどうかを決定するために、テスト信号が出力されても良い。前述したように、携帯型電子デバイス２８のコントローラ４０は、出力信号４４に基づいてフィードバック信号４６を生成することを二次誘導コイル３８に命令するように構成されていても良い。従って、もしフィードバック信号４６が受信されると、ブロック５８によって表されたように、携帯型電子デバイス２８はワイヤレス充電システム２６のレンジ内である。そうでなければ、携帯型電子デバイス２８が検出されるまで追加のテスト信号が出力されても良い。
【００２３】
次に、ブロック６０によって表されたように、フィードバック信号が、各々が以前に確立されたワイヤレス充電プロトコルと関連付けられた既知のフィードバック信号のデータベースと比較される。もしフィードバック信号がデータベース中に格納された信号に対応すれば、ブロック６２によって表されたように、識別された信号と関連付けられたワイヤレス充電プロトコルが選択されても良い。ワイヤレス充電システム２６は増加する各種のワイヤレス充電プロトコルに曝されるので、データベースは新しいプロトコルを含むように拡大される。理解されるであろうように、以前に確立されたプロトコルのデータベースからワイヤレス充電プロトコルを選択することは、新しいワイヤレス充電プロトコルを確立することよりも実質的に少なく計算的に集中的であり得る。ブロック６４によって表されたように、フィードバック信号４６に基づいてワイヤレス充電プロトコルを確立するプロセスは、もしフィードバック信号がデータベース中に格納された信号に対応しなければ行われても良い。一旦ワイヤレス充電プロトコルが選択または確立されると、出力信号は、ブロック６６によって表されたように、ワイヤレス充電プロトコルとフィードバック信号に基づいて規制されても良い。
【００２４】
図６は、フィードバック信号４６に基づいてワイヤレス充電プロトコルを確立するための例示的方法６４のフロー図である。まず、ブロック６８によって表されたように、携帯型電子デバイス２８のワイヤレス充電プロトコルが識別されても良い。例えば、或る実施形態では、コントローラ３６が既知のプロトコルのリストを含む。そのような実施形態では、コントローラ３６は、リスト上の第１のプロトコルのフォーマットで出力信号４４を生成することをコイルドライバー３２に命令する。コントローラ３６はそれから、フィードバック信号４６が出力信号４４と第１のプロトコルに基づいて期待されたフィードバック信号に対応するかどうかを決定するために、受信機３４によって検出されたフィードバック信号４６を分析する。もしそうであれば、コントローラ３６は、携帯型電子デバイス２８と通信するために第１のプロトコルを選択する。そうでなければ、コントローラ３６は、リスト上の第２のプロトコルのフォーマットで出力信号４４を生成することをコイルドライバー３２に命令し、フィードバック信号４６が出力信号４４と第２のプロトコルに基づいて期待されたフィードバック信号に対応するかどうかを決定するためにフィードバック信号４６を分析する。そのようなプロセスが、ワイヤレス充電プロトコルが識別されるまで繰り返されても良い。識別されたワイヤレス充電プロトコルがそれから、ブロック７０によって表されたように、ワイヤレス充電システム２６内で確立される。或る実施形態では、リストは、追加のワイヤレス充電プロトコルを組み込むように拡大可能であっても良い。
【００２５】
図７は、フィードバック信号４６に基づいてワイヤレス充電プロトコルを確立するための代替的方法６４のフロー図である。まず、ブロック７２によって表されたように、一次誘導コイル３０によって生成された出力信号４４が変動される。例えば、コントローラ３６が、出力信号４４の周波数、出力信号４４の大きさおよび／またはワイヤレス充電システム２６の共鳴周波数を調整することをコイルドライバー３２に命令しても良い。次に、ブロック７４によって表されたように、結果として得られるフィードバック信号４６中の変動が監視される。最後に、ブロック７６によって表されたように、結果として得られる変動に基づいてワイヤレス充電プロトコルが確立される。例として、コントローラ３６は、出力信号４４の大きさを増加して、結果として得られるフィードバック信号４６中の変動を監視しても良い。次に、コントローラ３６は、出力信号４４の大きさを減少させて、結果として得られるフィードバック信号４６中の変動を監視しても良い。フィードバック信号４６中の変動を出力信号４４中の変動と関連付けることによって、コントローラ３６は、フィードバック信号４６に基づいて出力信号の大きさをどのように制御するかを「学習」し得る。コントローラ３６はそれから、特定の携帯型電子デバイス２８についてのワイヤレス充電プロトコルを確立するために、出力周波数と共鳴周波数についてこのプロセスを繰り返しても良い。
【００２６】
図８は、プロトコル識別受信機とプロトコル指定受信機を含んだ、ワイヤレス充電システム２６の代替的実施形態の概略図である。以下で詳細に議論するように、描かれたワイヤレス充電システム２６は、（例えば、携帯型電子デバイスによって出力された）プロトコル識別信号を候補プロトコル識別信号の格納されたリストと比較することによって、携帯型電子デバイス２８のワイヤレス充電プロトコルを識別するように構成されている。もしマッチが見つかれば、ワイヤレス充電システムは、プロトコル識別信号と関連付けられたワイヤレス充電プロトコルを選択する。しかしながら、もしプロトコル識別信号が候補プロトコル識別信号の１つにマッチしなければ、ワイヤレス充電システム２６は、ワイヤレス充電プロトコルを確立するのに十分な情報をワイヤレス充電システムに提供するように構成されたプロトコル指定信号を受信する。例えば、ワイヤレス充電システム２６は、携帯型電子デバイス２８、または遠隔ネットワークからプロトコル指定信号を受信しても良い。ワイヤレス充電システムはそれから、識別されたワイヤレス充電プロトコルとフィードバック信号に基づいて出力信号を自動的に規制しても良い。
【００２７】
描かれた実施形態では、携帯型電子デバイス２８は、コントローラ４０に通信的に結合され、プロトコル識別信号８０を出力するように構成されたプロトコル識別送信機７８を含む。加えて、ワイヤレス充電システム２６は、コントローラ３６に通信的に結合され、プロトコル識別信号８０を受信するように構成されたプロトコル識別受信機８２を含む。プロトコル識別信号８０は、携帯型電子デバイス２８のワイヤレス充電プロトコルを一意に識別するように構成されている。例えば、プロトコル識別信号８０は、特定のワイヤレス充電プロトコルに対応する数字コードを含んでいても良い。代替的に、プロトコル識別信号８０は、（例えば、シリアル番号を介して）携帯型電子デバイス２８を一意に識別する数字コードを含んでいても良い。そのような構成では、コントローラ３６は、（例えば、既知の識別子のデータベースを介して）特定の携帯型電子デバイスを特定のワイヤレス充電プロトコルと関連付けるように構成されていても良い。
【００２８】
本実施形態では、プロトコル識別信号８０は、各種のワイヤレス通信プロトコルを介して送信されても良い。例えば、プロトコル識別送信機７８は、ワイヤレス充電システム２６内の対応するブルートゥース送受信機（例えば、プロトコル識別受信機８２）に無線周波数信号を出力するように構成されたブルートゥース送受信機であっても良い。同様に、プロトコル識別送信機７８とプロトコル識別受信機８２は、Ｗｉ−Ｆｉ、近接場通信（ＮＦＣ）および／またはその他の標準的あるいは私的な無線周波数プロトコルを介して通信しても良い。或る実施形態では、プロトコル識別送信機７８は、（例えば、能動的または受動的な）無線周波数識別（ＲＦＩＤ）タグであっても良く、プロトコル識別受信機８２は、ＲＦＩＤ送受信機であっても良い。そのような構成では、プロトコル識別受信機８２は、プロトコル識別送信機７８に問い合わせ信号を送信し、プロトコル識別信号８０を指し示す変調された応答を受信するように構成されていても良い。更なる実施形態では、プロトコル識別信号８０は、送信機７８と受信機８２の間の光学的（例えば、赤外線）コネクションを介して送信されても良い。
【００２９】
或る実施形態では、コントローラ３６は、プロトコル識別受信機８２がプロトコル識別信号８０を受信した時に、携帯型電子デバイス２８の存在を検出しても良い。例えば、もし送信機７８と受信機８２が、無線周波数信号を介して通信するように構成されていれば、コントローラ３６は、無線周波数信号が検出された時に、または信号強度が閾値の大きさを超える時に、携帯型電子デバイス２８の存在を識別しても良い。更には、もしプロトコル識別送信機７８がＲＦＩＤタグであれば、コントローラ３６は、ＲＦＩＤタグが検出された時に、携帯型電子デバイス２８の存在を識別しても良い。一旦コントローラ３６が、携帯型電子デバイスが存在するということを決定すると、ワイヤレス充電システム２６は、携帯型電子デバイス２８に電気パワーを転送し始めても良い。
【００３０】
描かれた実施形態では、コントローラ３６は、プロトコル識別信号８０を（例えば、コントローラ３６のメモリー中のデータベース内の）候補プロトコル識別信号の格納されたリストと比較するように構成されている。もしプロトコル識別信号が候補信号の１つに対応していれば、コントローラ３６は、プロトコル識別信号８０と関連付けられたワイヤレス充電プロトコルを選択する。コントローラ３６はそれから、ワイヤレス充電プロトコルが確立されていることを（例えば、聴覚および／または視覚フィードバックを介して）指し示すことを、コントローラ３６に通信的に結合されているユーザインターフェース８４に命令しても良い。コントローラ３６はそれから、携帯型電子デバイス２８へのワイヤレスパワー転送を始動することをコイルドライバー３２に命令しても良い。
【００３１】
しかしながら、もしプロトコル識別信号が候補プロトコル識別信号の１つとマッチしなければ、コントローラ３６は、ワイヤレス充電プロトコルが確立されていないことを指し示すことをユーザインターフェース８４に命令しても良い。加えて、コントローラ３６は、コントローラ３６がプロトコル識別信号８０を認識しないことを指し示すプロトコル識別送信機７８への戻り信号８６を出力することをプロトコル識別受信機８２に命令しても良い。もしそのような戻り信号が受信されれば、コントローラ４０は、ワイヤレス充電プロトコルが確立されていないことを指し示すことを、コントローラ４０に通信的に結合されているユーザインターフェース８８に命令しても良い。例えば、ユーザインターフェース８８は、グラフィカルディスプレイを含んでいても良く、グラフィカルディスプレイは、ワイヤレス充電システム２６が携帯型電子デバイス２８のワイヤレス充電プロトコルを認識しないことを指し示すアイコンおよび／またはテキストメッセージを提示するように構成されていても良い。
【００３２】
或る実施形態では、ワイヤレス充電システム２６のユーザインターフェース８４および／または携帯型電子デバイス２８のユーザインターフェース８８は、プロトコル識別送信機７８からプロトコル識別受信機８２へのプロトコル識別信号８０の送信を始動するために採用されても良い。例えば、ユーザインターフェース８８は、プロトコル識別信号の送信を始動するように構成されたボタンを有するグラフィカルディスプレイを含んでいても良い。そのような構成では、ユーザは、携帯型電子デバイス２８をワイヤレス充電システム２６の近傍に置いて、それからボタンを押しても良い。ワイヤレス充電システム２６はそれから、携帯型電子デバイス２８からのプロトコル識別信号８０を自動的に受信しても良い。代替的に、ワイヤレス充電システム２６のユーザインターフェース８４が、プロトコル識別受信機８２を起動するように構成されたボタンを含んでいても良く、それによりプロトコル識別信号８０の受信を容易にする。そのような構成では、ユーザは、ワイヤレス充電システムのユーザインターフェース８４上の第１のボタンを押し、それからプロトコル識別信号８０の送信を始動するために携帯型電子デバイスのユーザインターフェース８８上の第２のボタンを押しても良い。更なる実施形態では、ユーザインターフェース８４上のボタンを押すことは、コントローラ４０にプロトコル識別信号８０の送信を始動することを命令するプロトコル識別送信機７８への戻り信号８６を出力することをプロトコル識別受信機８２に、命令しても良い。
【００３３】
或る実施形態では、ワイヤレス充電システム２６がプロトコル識別受信機８２を省略しても良く、および／または携帯型電子デバイス２８がプロトコル識別送信機７８を省略しても良い。加えて、プロトコル識別送信機７８はプロトコル識別受信機８２と整合していなくても良い（例えば、送信機と受信機は異なる周波数で動作しても良く、および／または異なるワイヤレス通信プロトコルを採用しても良い）。そのような実施形態では、ユーザインターフェース８４は、プロトコル識別信号の手動入力を容易にするように構成されていても良い。例えば、識別番号が携帯型電子デバイス２８のワイヤレス充電プロトコルと関連付けられていても良い（例えば、所有者マニュアル中に印刷されている、デバイスの背面上に印刷されている、等）。そのような実施形態では、ユーザは、ユーザインターフェース８４中に識別番号を入れても良く、それによりプロトコル識別信号をコントローラ３６に提供する。
【００３４】
前述したように、もしプロトコル識別信号８０が候補プロトコル識別信号の１つとマッチしなければ、コントローラ３６は、ワイヤレス充電プロトコルを確立するのに十分な情報をコントローラ３６に提供するように構成されたプロトコル指定信号を受信しても良い。描かれた実施形態では、ワイヤレス充電システム２６は、コントローラ３６に通信的に結合され、外部ネットワークからプロトコル指定信号を受信する（例えば、ダウンロードする）ように構成されたネットワークインターフェース９０を含む。或る実施形態では、ネットワークインターフェース９０は、インターネットにアクセスするように構成されたワイヤレス通信デバイス（例えば、セルラーネットワークアダプター）に通信的に結合されている。そのような実施形態では、コントローラ３６は、識別されたワイヤレス充電プロトコルに対応するインターネットからのプロトコル指定信号をダウンロードすることをネットワークインターフェース９０に命令する。
【００３５】
更なる実施形態では、コントローラ３６は、プロトコル指定信号を受信することを携帯型電子デバイス２８に命令しても良い。例えば、或る実施形態では、携帯型電子デバイス２８は、コントローラ４０に通信的に結合され、外部ネットワークからプロトコル指定信号を受信する（例えば、ダウンロードする）ように構成されたネットワークインターフェース９２を含む。そのような実施形態では、コントローラ３６は、プロトコル指定信号を受信することをコントローラ４０に命令するプロトコル識別送信機７８への戻り信号８６を出力することをプロトコル識別受信機８２に命令しても良い。以下で詳細に議論するように、携帯型電子デバイス２８はそれから、ワイヤレス充電プロトコルの確立を容易にするようにワイヤレス充電システム２６にプロトコル指定信号を送信しても良い。
【００３６】
描かれた実施形態では、携帯型電子デバイス２８は、コントローラ４０に通信的に結合され、プロトコル指定信号を指し示すコードを電子的にスキャンするように構成されたコードスキャナー９４を含む。例えば、コードスキャナー９４は、車両１０内のＲＦＩＤタグからコードを受信するように構成されたＲＦＩＤ送受信機であっても良い。代替的に、コードスキャナー９４は、（例えば、車両１０内、所有者マニュアル内、等の）バーコードまたはクイックレスポンス（ＱＲ）コードを読み取るように構成された光学的スキャナーであっても良い。一旦コードがスキャンされれば、コントローラ４０は、コードに対応するプロトコル指定信号を受信することをネットワークインターフェース９２に命令しても良い。携帯型電子デバイス２８はそれから、ワイヤレス充電プロトコルの確立を容易にするようにワイヤレス充電システム２６にプロトコル指定信号を送信しても良い。
【００３７】
描かれた実施形態では、携帯型電子デバイス２８は、プロトコル指定信号９８をワイヤレス充電システム２６に送信するために、コントローラ４０に通信的に結合されているプロトコル指定送信機９６を採用する。ワイヤレス充電システム２６はその一方で、コントローラ３６に通信的に結合され、プロトコル指定信号９８を受信するように構成されたプロトコル指定受信機１００を含む。前述したように、プロトコル指定信号は、携帯型電子デバイス２８のネットワークインターフェース９２から受信されても良い。代替的に、プロトコル指定信号は、携帯型電子デバイス２８のコントローラ４０のメモリー内に格納されても良い。一旦コントローラ３６がプロトコル指定信号９８を受信すると、コントローラ３６は、携帯型電子デバイス２８のワイヤレス充電プロトコルを確立し得る。
【００３８】
プロトコル識別信号８０と同様に、プロトコル指定信号９８は、各種のワイヤレス通信プロトコルを介して送信されても良い。例えば、プロトコル指定送信機８６は、ワイヤレス充電システム２６内の対応するブルートゥース送受信機（例えば、プロトコル指定受信機１００）に無線周波数信号を出力するように構成されたブルートゥース送受信機であっても良い。同様に、プロトコル指定送信機９６とプロトコル指定受信機１００は、Ｗｉ−Ｆｉ、近接場通信（ＮＦＣ）および／またはその他の標準的あるいは私的な無線周波数プロトコルを介して通信しても良い。或る実施形態では、プロトコル指定送信機９６は、（例えば、能動的または受動的な）無線周波数識別（ＲＦＩＤ）タグであっても良く、プロトコル指定受信機１００は、ＲＦＩＤ送受信機であっても良い。そのような構成では、プロトコル指定受信機１００は、プロトコル指定送信機９６に問い合わせ信号を送信し、プロトコル指定信号９８を指し示す変調された応答を受信するように構成されていても良い。更なる実施形態では、プロトコル指定信号９８は、送信機９６と受信機１００の間の光学的（例えば、赤外線）コネクションを介して送信されても良い。
【００３９】
或る実施形態では、コントローラ３６は、プロトコル指定信号９８が成功裡に受信されたかどうかおよび／またはワイヤレス充電システム２６が識別されたワイヤレス充電プロトコルを確立することが可能であるかどうかを指し示すプロトコル指定送信機９６への戻り信号１０２を出力することをプロトコル指定受信機１００に命令するように構成されている。例えば、もしプロトコル指定受信機１００が完全なプロトコル指定信号９８を受信しなければ、コントローラ３６は、完全な信号が受信されなかったことを指し示す戻り信号１０２を出力することをプロトコル指定受信機１００に命令しても良い。これに従って、コントローラ４０は、プロトコル指定信号９８を再送することをプロトコル指定送信機９６に命令しても良い。加えて、コントローラ４０は、（例えば、ディスプレイ上にエラーメッセ−ジを提示すること、聴取可能な警報を起動すること、等を介して）信号が受信されなかったことをユーザに知らせることをユーザインターフェース８８に命令しても良い。同様に、コントローラ３６は、信号が受信されなかったことをユーザに知らせることをワイヤレス充電システム２６のユーザインターフェース８４に命令しても良い。
【００４０】
更には、もしコントローラ３６が、ワイヤレス充電システム２６は携帯型電子デバイスのワイヤレス充電プロトコルを確立することが可能ではないと決定すれば、プロトコル指定受信機１００は、識別されたワイヤレス充電プロトコルが確立されないかもしれないことを指し示すプロトコル指定送信機９６への戻り信号１０２を出力しても良い。加えて、携帯型電子デバイス２８のユーザインターフェース８８および／またはワイヤレス充電システム２６のユーザインターフェース８４は、識別されたワイヤレス充電プロトコルが確立されないかもしれないことを指し示すユーザへの聴覚的および／または視覚的フィードバックを提供しても良い。しかしながら、或る実施形態では、コントローラ３６は、識別されたワイヤレス充電プロトコルと十分に類似したワイヤレス充電プロトコルを確立し、それにより（例えば、減少された効率／性能で）携帯型電子デバイス２８へのエネルギー転送を可能とするように構成されていても良い。例えば、もし識別されたワイヤレス充電プロトコルの共鳴周波数がワイヤレス充電システム２６の最大共鳴周波数よりも大きければ、ワイヤレス充電システム２６は、最大共鳴周波数で電気パワーを送信しても良く、それにより（削減された効率／性能で）携帯型電子デバイスに電気パワーを供給する。そのような実施形態では、携帯型電子デバイスのユーザインターフェース８８および／またはワイヤレス充電システムのユーザインターフェース８４は、ワイヤレス充電プロトコル中の変動にユーザの注意を喚起して、十分に類似したワイヤレス充電プロトコルを介した携帯型電子デバイス２８へのエネルギー転送をユーザが承認することを可能としても良い。
【００４１】
前述したように、プロトコル指定信号９８は、識別されたワイヤレス充電プロトコルを確立するためにコントローラ３６のための十分な情報を含む。例えば、或る実施形態では、プロトコル指定信号９８は、共鳴周波数、インダクタンス、キャパシタンスおよび出力信号の大きさのような、識別されたワイヤレス充電プロトコルの物理的パラメータを含んでいても良い。プロトコル指定信号９８はまた、携帯型電子デバイス２８と効率的に通信するワイヤレス充電プロトコルをどのように確立するかをコントローラ３６に「教える」ように構成された訓練信号を含んでいても良い。或る実施形態では、訓練信号は、携帯型電子デバイス２８からのフィードバック信号４６にどのように応答するかをコントローラ３６に命令するソフトウェア（例えば、実行可能なコード）を含んでいても良い。従って、コントローラ３６がプロトコル指定信号に基づいてワイヤレス充電プロトコルを確立する時、ワイヤレス充電システム２６は、携帯型電子デバイス２８に電気パワーを効率的に転送し得る。
【００４２】
加えて、コントローラ３６は、プロトコル指定信号を格納するように構成されていても良く、それにより関連付けられたプロトコル識別信号が以降に受信された時にコントローラ３６がワイヤレス充電プロトコルを効果的に確立することを可能とする。更には、描かれた実施形態ではワイヤレス充電システム２６が別々の受信機３４、８２および１００を採用し、携帯型電子デバイスが別々の送信機７８および９６を採用するが、代替的実施形態は一体化された受信機および／または送信機を利用しても良いことが理解されるべきである。そのような実施形態では、一体化された送信機が、プロトコル識別信号８０とプロトコル指定信号９８を送信するように構成されていても良く、一体化された受信機が、フィードバック信号４６とプロトコル識別信号８０とプロトコル指定信号９８を受信するように構成されていても良い。
【００４３】
図９は、各種のワイヤレス充電プロトコルに自動的に適応するための代替的方法１０４のフロー図である。まず、ブロック１０６によって表されたように、プロトコル識別信号が受信されているかどうかについて決定がなされる。例えば、或る実施形態では、コントローラ３６は、プロトコル識別送信機７８がプロトコル識別信号８０を返し、それにより携帯型電子デバイス２８の存在を指し示すまで、問い合わせ信号を送信することをプロトコル識別受信機８２に命令しても良い。次に、ブロック１０８によって表されたように、プロトコル識別信号が既知のプロトコル識別信号のデータベースと比較される。もしプロトコル識別信号がデータベース中に格納された信号に対応すれば、ブロック１１０によって表されたように、プロトコル識別信号と関連付けられたワイヤレス充電プロトコルが選択される。理解されるであろうように、ワイヤレス充電プロトコルを以前に確立されたプロトコルのデータベースから選択することは、新しいワイヤレス充電プロトコルを確立することまたは新しいワイヤレス充電プロトコルを外部ソースから受信することよりも実質的に少なく計算的に集中的であり得る。ブロック１１２によって表されたように、ワイヤレス充電プロトコルを確立するのに十分な情報をワイヤレス充電システムに提供するように構成されたプロトコル指定信号を受信するプロセスは、もしプロトコル識別信号がデータベース中に格納された信号に対応しなければ行われても良い。一旦ワイヤレス充電プロトコルが選択または確立されると、ブロック１１４によって表されたように、出力信号がワイヤレス充電プロトコルとフィードバック信号に基づいて規制されても良い。
【００４４】
図１０は、プロトコル指定信号を受信するための例示的方法１１２のフロー図である。まず、ブロック１１６によって表されたように、ネットワークコネクションが利用可能であるかどうかについて決定がなされる。例えば、或る実施形態では、ワイヤレス充電システム２６は、ワイヤレス通信デバイス（例えば、セルラーネットワークアダプター）を介してインターネットにアクセスするように構成されたネットワークインターフェース９０を含んでいても良い。もしワイヤレスコネクションが利用可能であれば、ブロック１１８によって表されたように、プロトコル指定信号がダウンロードされる。そうでなければ、ブロック１２０によって表されたように、ワイヤレス充電システムにプロトコル指定信号を送ることを携帯型電子デバイスが命令される。もしプロトコル指定信号が携帯型電子デバイス内に格納されていれば、ブロック１２２によって表されたように、プロトコル指定信号が送信され、それによりブロック１２４によって表されたように、ワイヤレス充電システムがプロトコル指定信号を受信することを可能とする。そうでなければ、ブロック１２６によって表されたように、プロトコル指定信号が（例えば、外部ネットワークから）ダウンロードされ、それからワイヤレス充電システムに送信される。一旦プロトコル指定信号が受信されると、ブロック１２８によって表されたように、プロトコル指定信号はデータベース中に格納される。従って、もしワイヤレス充電システムが同じプロトコル識別信号を有する以降の携帯型電子デバイスを検出すれば、ワイヤレス充電システムは、データベース中に格納されたプロトコル指定信号に基づいてワイヤレス充電プロトコルを確立し得る。
【００４５】
発明の或る特徴と実施形態のみが描写され記載されたが、請求項中に記載された主題の新規な教示内容と利点から実質的に逸脱すること無く、多くの変形および変更が当業者に想起され得る（例えば、様々なエレメントのサイズ、寸法、構造、形状および釣り合い、パラメータの値（例えば、温度、圧力等）、載置配置、材料の使用、色、向き等）。あらゆるプロセスまたは方法ステップの順番またはシーケンスは、代替的実施形態に従って変動されるかまたは再シーケンス化されても良い。従って、添付された請求項は、発明の真の精神内に入る全てのそのような変形および変更をカバーすることが意図されていることが理解されるべきである。更には、例示的実施形態の簡潔な記載を提供する努力として、実際の実装の全ての特徴が記載されていないかもしれない（即ち、発明を実施する現在想定されているベストモードに関係しないもの、または請求された発明を可能にすることと関係しないもの）。あらゆるそのような実際の実装の開発においては、あらゆるエンジニアリングまたはデザインプロジェクトでのように、数々の実装に特定の決定がなされ得ることが理解されるべきである。そのような開発努力は複雑で時間のかかるものであるかもしれないが、それにも拘わらすこの開示の恩恵を有する当業者にとっては、不当な実験無しでの、デザイン、製作および製造の慣例的な仕事であろう。
【図１】
0005879347.tif 000002
【図２】
0005879347.tif 000003
【図３】
0005879347.tif 000004
【図４】
0005879347.tif 000005
【図５】
0005879347.tif 000006
【図６】
0005879347.tif 000007
【図７】
0005879347.tif 000008
【図８】
0005879347.tif 000009
【図９】
0005879347.tif 000010
【図１０】
0005879347.tif 000011